(57)【要約】 【課題】  密な芝生の上でティーアップする場合においても、芝の影響を可及的に少なくしてゴルフボールを安定良くティーアップすることのできるゴルフティーを提供する。【解決手段】  ゴルフボールを受けるボール受部２と、該ボール受部２の下部に設けられて該ボール受部を支える台座３とを備え、  前記ボール受部２は可撓性を有する素材で形成され、  前記台座３は、前記ボール受部２の下端から水平方向へ延設された水平部４と、三つ以上の垂下部５と、水平部４と垂下部５との間に設けられた隅部６とを備えたことを特徴とする。【選択図】  図１
2010148577.tif 000002
【特許請求の範囲】
【請求項１】
ゴルフボールを受けるボール受部と、該ボール受部の下部に設けられて該ボール受部を支える台座とを備え、
前記ボール受部は可撓性を有する素材で形成され、
前記台座は、前記ボール受部の下端から水平方向へ延設された水平部と、三つ以上の垂下部と、水平部と垂下部との間に設けられた隅部とを備えたことを特徴とするゴルフティー。
【請求項２】
前記台座を地面に載置した際に前記水平部、隅部、垂下部、及び地面で囲まれた芝侵入空間が形成され、該芝侵入空間内へ芝が侵入可能であることを特徴とする請求項１に記載のゴルフティー。
【請求項３】
前記台座は前記ボール受部の下端から延設された三つ以上の脚から構成され、該各脚が前記水平部、隅部、及び垂下部を構成していることを特徴とする請求項１又は２に記載のゴルフティー。
【請求項４】
前記水平部は板状に形成され、該水平部から三つ以上の脚が延設され、該各脚が前記隅部、及び垂下部を備えていることを特徴とする請求項１乃至３の何れか１項に記載のゴルフティー。
【請求項５】
前記隅部が、直角であることを特徴とする請求項１乃至４の何れか１項に記載のゴルフティー。
【請求項６】
前記隅部が、外方へ膨らむように湾曲した形態であることを特徴とする請求項１乃至４の何れか１項に記載のゴルフティー。
【請求項７】
前記脚が、水平方向へ渦巻き状に形成されていることを特徴とする請求項３乃至６の何れか１項に記載のゴルフティー。
【請求項８】
前記ボール受部と前記台座との間に高さ調整部が設けられ、該高さ調整部によって前記ボール受部の高さが調整可能であることを特徴とする請求項１乃至７の何れか１項に記載のゴルフティー。
【発明の詳細な説明】
【技術分野】
【０００１】
本発明はゴルフティーに係り、特に、ゴルフボールを安定感良くティーアップできるゴルフティーに関するものである。
【背景技術】
【０００２】
特許文献１には、ゴルフボールを安定してティーアップすることを意図した発明が開示されている。図８は特許文献１に記載のゴルフティーを芝生に載置した状態の側面を示す。
【特許文献１】特開２００７−３３０７７４号公報
【０００３】
特許文献１に記載のゴルフティー１００は、支持ベース１０１と、ゴルフボールを載置する載置部１０２を設けた支柱部１０３とから構成され、該支持ベース１０１は複数の支持脚１０４を備えた形態である。
【発明の開示】
【発明が解決しようとする課題】
【０００４】
ところで、前記支持脚１０４は支柱部１０３の下部から斜め下方へ延設された形態であるために、該支持脚１０４の裏面及び底面Ｔで芝Ｓを横倒しにするようにして、ゴルフティー１００は芝生上に載置される。このため、ゴルフティー１００は横倒しになった芝Ｓが立ち上がろうとする復元力を受けることで、ゴルフティー１００の姿勢が安定しにくく、芝Ｓの状態によっては、安定したティーアップを期待できないという問題点があった。
【０００５】
そこで、本発明は前記背景技術の問題点に鑑みてなされたもので、その目的は、密な芝生の上でティーアップする場合においても、芝の影響を可及的に少なくしてゴルフボールを安定良くティーアップすることのできるゴルフティーを提供することにある。
【課題を解決するための手段】
【０００６】
請求項１に記載の発明は、ゴルフボールを受けるボール受部と、該ボール受部の下部に設けられて該ボール受部を支える台座とを備え、
前記ボール受部は可撓性を有する素材で形成され、
前記台座は、前記ボール受部の下端から水平方向へ延設された水平部と、三つ以上の垂下部と、水平部と垂下部との間に設けられた隅部とを備えたことを特徴とするゴルフティーである。
【０００７】
請求項２に記載の発明は、前記台座を地面に載置した際に前記水平部、隅部、垂下部、及び地面で囲まれた芝侵入空間が形成され、該芝侵入空間内へ芝が侵入可能であることを特徴とする請求項１に記載のゴルフティー。
【０００８】
請求項３に記載の発明は、請求項１又は２に記載の発明において、台座は前記ボール受部の下端から延設された三つ以上の脚から構成され、該各脚が前記水平部、隅部、及び垂下部を構成していることを特徴とするものである。
【０００９】
請求項４に記載の発明は、請求項１乃至３の何れか１項に記載の発明において、水平部は板状に形成され、該水平部から三つ以上の脚が延設され、該各脚が前記隅部、及び垂下部を備えていることを特徴とするものである。
【００１０】
請求項５に記載の発明は、請求項１乃至４の何れか１項に記載の発明において、隅部が、直角であることを特徴とするものである。
【００１１】
請求項６に記載の発明は、請求項１乃至４の何れか１項に記載の発明において、隅部が、外方へ膨らむように湾曲した形態であることを特徴とするものである。
【００１２】
請求項７に記載の発明は、請求項３乃至６の何れか１項に記載の発明において、脚が、水平方向へ渦巻き状に形成されていることを特徴とするものである。
【００１３】
請求項８に記載の発明は、請求項１乃至７の何れか１項に記載の発明において、
前記ボール受部と前記台座との間に高さ調整部が設けられ、該高さ調整部によって前記ボール受部の高さが調整可能であることを特徴とするものである。
【発明の効果】
【００１４】
請求項１に記載の発明によれば、垂下部が芝の隙間を垂直に通過して地面にしっかりと接して全体をしっかりと支えることができるために、ゴルフティーが芝生上に載置された場合であっても、ゴルフティーは、芝の影響を可及的に少なくして安定した姿勢でティーアップすることができる。
【００１５】
請求項２に記載の発明によれば、ゴルフティーを地面に載置した際に、芝を横倒しにすることなく芝を芝侵入空間内へ取り込むことで、芝と垂下部との接触を可及的に少なくすることができて、芝による悪影響を垂下部に作用しないようにすることができるために、ゴルフボールを安定良くティーアップすることができる。
【００１６】
請求項３に記載の発明によれば、ボール受部の下端から延設された脚によって、水平部、隅部、及び垂下部を構成することができる。
【００１７】
請求項４に記載の発明によれば、水平部が板状であるために、ゴルフティーが嵩張らない。
【００１８】
請求項５に記載の発明によれば、芝侵入空間の隅部が直角であるため、芝侵入空間の高さを隅々まで一定にすることができる。このため、当該芝侵入空間内へ芝をスムーズに侵入させることができることができて、ゴルフティーを密な芝生の上に載置する場合において、芝の影響を受けることなく、ゴルフボールを安定した姿勢でティーアップすることができる。
【００１９】
請求項６に記載の発明によれば、芝侵入空間の隅部が湾曲した形態であって角張っていないために、ゴルフプレーヤがゴルフティーを握った際に手触りが良い。
【００２０】
請求項７に記載の発明によれば、脚が渦巻き状であって直線状ではないために、脚の形態がゴルフボールを打撃する際の目印にならずに、ゴルフ規約を充足することができる。
【００２１】
請求項８に記載の発明によれば、ティーアップする際のゴルフボールの高さを調節することができる。
【発明を実施するための最良の形態】
【００２２】
図１は本実施形態に係るゴルフティーの斜視図を示す。ゴルフティー１は、ゴルフボールを受けるボール受部２と、該ボール受部２の下部に設けられて該ボール受部２を支える台座３とから構成されている。
【００２３】
前記台座３は、ボール受部２の下端から水平方向へ延設された水平部４と、三つ以上の垂下部５と、水平部４と垂下部５との間に設けられた隅部６とを備えた形態である。前記水平部４の上面には上方へ向けて取付突部７が設けられており、該取付突部７に前記ボール受部２が着脱自在に連結される構造になっている。
【００２４】
前記垂下部５は前記隅部６から垂直方向へ延設されることで、ゴルフティー１が地面に載置された際に地面に垂直方向から接する形態になっている。
【００２５】
そして、図１に示すように、ゴルフティー１を地面上に載置した状態において、前記水平部４と垂下部５と隅部６と地面とで囲まれた芝侵入空間８が形成される。ここで、ゴルフティー１を地面上に載置するとは、ゴルフプレーヤがゴルフティー１を地面に刺し込まない状態をいうものであって、通常の使用に際して、ゴルフボールの重量及びゴルフティー１の自重によって、ゴルフティー１が地面上に自然に置かれる状態をいうものである。又、前記芝侵入空間８の高さは、約７．７mmであって、芝の一般的な深さと同じであることが好ましい。
【００２６】
前記水平部４は水平方向へ延設されるものであればその形態は限定されないが、図２中、点線で囲まれるように、円板状に形成されることも可能である。図２は、台座３を芝Ｓ上に載置した状態の平面図を示す。
【００２７】
又、前記隅部６及び垂下部５は、前記水平部４から延設された、三つ以上の脚９で構成されることができ、図面では六つの脚９が記載されている。前述のように、前記水平部４が円板状に形成された場合、各脚９は、水平部４の周方向へ向けて等間隔に設けることができる。又、前述のように、前記水平部４が円板状に形成された場合、図２に示すように、各脚９は前記取付突部７を中心とする同心円の接線方向へ延設するように水平方向へ渦巻き状に形成することもできる。図２は、脚９が右回りの渦巻き状に形成された場合を示すが、該脚９は左回りの渦巻き状に形成されることも可能である。
【００２８】
又、図１に示すように、前記隅部６は外方へ湾曲して膨らむように弧状に形成されることもできるが、直角に形成されることも可能である。
【００２９】
図３に示すように、前記取付突部７には、該取付突部７に前記ボール受部２を取り付ける際の高さ調整部１０を設けることも可能である。図３は、ボール受部２と台座３とを組み付ける状態を示す側面図であって、一部を断面にした状態を示す。
【００３０】
前記高さ調整部１０は、円柱状に形成され、半径の小さな第１小径部１１、及び第２小径部１２と、二つの小径部１１、１２の間に設けられた半径の大きな大径部１３と、先端に設けられた抜止部１４とを備えている。該抜止部１４は、基部側から先端側へ向けてその断面が徐々に縮径する形態に形成されている。
【００３１】
そして、前記第１小径部１１と大径部１３との間の段差が、第１抜止段差Ｄ１となり、前記第２小径部１２と抜止部１４との間の段差が第２抜止段差Ｄ２となっている。
【００３２】
ここで、本実施形態におけるゴルフティー１の前記台座３の横幅Ｍは、ゴルフボールの直径以下の寸法であって、ボール受部２にゴルフボールを載せた状態において、該台座３がゴルフボールに隠れて、ゴルフプレーヤが台座３を目視できない大きさとしてある。
【００３３】
図１に示すように、前記ボール受部２は、筒状の基部１５と、該基部１５の軸心を囲むように基部１５の外周に設けられた複数の支柱１６（図面では４つ）と、補強部Ｈとから構成されている。
【００３４】
前記基部１５は図３に示すように、下部の厚肉部１７と、上部の薄肉部１８とから構成され、該厚肉部１７と薄肉部１８との間は段差部１９になっている。
【００３５】
前記各支柱１６は、二つの支柱片１６Ａ、１６Ｂで構成され、各支柱片１６Ａ、１６Ｂの下端部は前記基部１５の外側面に接合され、その上端部同士は一体に接合されることで、下側から上方向へ向けて凸状に伸びるアーチ型に湾曲した形態に形成されている。又、隣接する支柱１６の上端部同士は、前記補強部Ｈによって接合されている。
【００３６】
図１、図３に示すように、支柱１６の上端が補強部Ｈより上方へ突出するように形成した場合には、支柱１６の上端によって球座２０が構成され、当該球座２０によってゴルフボールが支持される。
【００３７】
このように、各支柱１６の下部は基部１５の外周に接合され、且つ、その上部は隣り合う支柱１６の上部が補強部Ｈによって連設された形態であるために、支柱１６同士は互いに分離しない構成になっている。
【００３８】
図１に示すように、前記各支柱１６は、下側から上方へ至るにつれて徐々に外方へ反る形態に形成されることができる。このように、各支柱１６が外方へ反るように形成されていることで、支柱１６同士の先端が互いに離れることになって、前記球座２０の面積が広がるために、ゴルフボールを安定的に支持することができる。
【００３９】
前記支柱１６は、ゴルフボールを上部に安定的に支持でき、且つ、柔軟性を有する素材により形成される。ここで言う柔軟性を有する素材とは、横方向から作用する力により屈曲し、且つ復元が自在な素材であれば特に限定されないが、熱可塑性エラストマー又はゴムを例示できる。より具体的には、スチレン系エラストマー、ウレタン系エラストマー、オレフィン系エラストマー、塩ビ系エラストマー、ポリエステル系エラストマー、ポリアミド系エラストマー、天然ゴム、ウレタンゴム、エチレン・プロピレンゴム、クロロプレンゴム、シリコンゴム、スチレン・ブタジエンゴム、ニトリルゴム、クロロスルホン化ポリエチレン、ブチルゴム、フッ素ゴムを例示できる。
【００４０】
次に作用について説明する。先ず、図３に示すように、ボール受部２と台座３とは硬さの異なる別々の素材から別途製造されるため、両者は当初分離している。そして、台座３の真上からボール受部２の基部１５内に台座３の取付突部７を押し込み、一体化させることで使用可能な形態に組み付けられる。そして、ボール受部２の厚肉部１７が台座３の第１小径部１１に嵌り込み、台座３の第１抜止段差Ｄ１がボール受部２の段差１９に引っ掛かることで、ボール受部２が台座３から分離しない。
【００４１】
このボール受部２の下端が台座３の水平部４上面に接する状態においては、ボール受部２は低い位置にあって、図１に示す状態である。ここで、低い位置とは、ドライバー使用時、ゴルフティー１の高さが仮に３０ｍｍ以下である時には、ゴルフボールを良好に打つことができないために、下限値を約３０ｍｍとし、又、上限値は約４５ｍｍであることが好ましい。
【００４２】
次に、図１に示す状態から、ボール受部２を台座３から上方へ引っ張り上げると、ボール受部２の厚肉部１７が取付突部７の大径部１３を乗り越えて第２小径部１２に嵌り込み、第２抜止段差Ｄ２がボール受部２の段差１９に引っ掛かることで、ボール受部２が台座３から分離しない。
【００４３】
このボール受部２の下端が大径部１３の上面に接する状態においては、ボール受部２は高い位置にあって、図４に示す状態である。ここで、高い位置とは、前記３０ｍｍに前記ボール受部２の上方への移動分（約８ｍｍ〜１０ｍｍ）を足すことで、下限値を約３８ｍｍとし、又、上限値は前記４５ｍｍに前記ボール受部２の移動分を足すことで約５５ｍｍであることが好ましい。
【００４４】
図３に示すように、ボール受部２の厚肉部１７を取付突部７の第１小径部１１又は第２小径部１２を選択して嵌り込ませることで、ボール受部２で支持されるゴルフボールの高さを選択することができる。以上のように、ボール受部２と台座３とを合体させることで、ゴルフティー１が完成する。
【００４５】
次に、台座３と芝Ｓとの関係を示す。図５に示すように、台座３の垂下部５が芝の隙間を垂直に通過して地面にしっかりと接して全体をしっかりと支えることができるために、ゴルフティー１が芝生上に載置された場合であっても、ゴルフティー１は、芝Ｓの影響を可及的に少なくして安定した姿勢でティーアップすることができる。
【００４６】
ここで、芝Ｓの深さは、芝侵入空間８の高さと同じ、７．７mm位の場合が多い。このため、図５に示すように、芝侵入空間８内に入り込んだ芝Ｓの先端が台座３の水平部４下面に当接した状態で、台座３の垂下部５の先端が地面に当接することで、ゴルフティー１が横ぶれすることなく、ゴルフティー１の姿勢が安定する。
【００４７】
又、芝侵入空間８内に入り込んだ芝Ｓの先端が台座３の水平部４下面に当接して押さえられることで、該水平部４が芝Ｓの先端で支えられるようになり、ゴルフティー１が横ぶれすることなく、ゴルフティー１の姿勢が安定する。
【００４８】
又、芝Ｓ同士が密集する等して、芝Ｓの生え方が、台座３の脚９の形態に馴染まない場合には、台座３を図２中、矢示Ａ―Ｂ方向へ僅かに回す。矢示Ａ方向へ回した場合には、脚９の凸面９Ａが芝Ｓを押すために、芝Ｓが当該凸面９Ａに沿って両側（図中、矢示Ｃ―Ｄ方向）へ広がる。一方、台座３を図中、矢示Ｂ方向へ回した場合には、芝Ｓが脚９の凹面９Ｂに沿って図中、矢示Ｅ方向へ互いに集まる。
【００４９】
以上のように、台座３を矢示Ａ―Ｂ方向へ僅かに回して、芝Ｓの状態を脚９の間で馴染ませることで、台座３を好ましい姿勢に安定させて保つことができる。
【００５０】
又、前記ゴルフティー１の台座３は水平部４を備えているために台座３が横に広がった形態になって、ゴルフティー１は安定良く地面に載置される。
【００５１】
次に、ゴルフプレーヤがクラブヘッドでゴルフボールを打撃するのであるが、図５に示すように、芝侵入空間８の高さが芝Ｓの深さと約同一であるために、台座３が芝生内に埋もれるため、クラブヘッドが台座３を打撃することが少なく、台座３が当該打撃によって損傷する虞が少ない。
【００５２】
又、図５に示すように、台座３が芝生内に埋もれ、且つ、芝侵入空間８内に芝Ｓが入り込んでいるために、台座３の脚９と芝生と間の抵抗が大きく、従って、クラブヘッドでゴルフボールを打撃する際の衝撃を台座３が受けても、当該衝撃によってゴルフティーが周囲へ飛んで紛失する虞が少ない。
【００５３】
又、ボール受部２が柔軟な素材で形成されているために、ゴルフボールを打撃した際の衝撃はボール受部２で吸収されることができるために、当該衝撃が台座３に伝わって台座３を損傷させたり、台座３を周囲へ飛ばして紛失させる虞が少ない。従って、本実施形態のゴルフティー１はゴルフクラブに対する抵抗が少なく、耐久性に優れたものである。
【００５４】
図６は、第２実施形態のゴルフティー２１を示す。この第２実施形態の特徴は、第１実施形態に比較して脚９の一部で水平部４をも構成した点にある。この第２実施形態においても第１実施形態と同様の作用効果を奏することができる。
【００５５】
図７は第３実施形態のゴルフティー３１を示す。この第３実施形態の特徴は、基板３２にブラシ３３を取り付けたもので、ボール受部２を構成した点にある。この第３実施形態のゴルフティー３１の台座３の構成は、第１実施形態のゴルフティー１と同様の構成のものを用いたり、第２実施形態のゴルフティー２１と同様の構成のものを用いることも可能である。
【００５６】
尚、本発明は前記各実施形態の構成に限定されるものではなく、ボール受部２、台座３の形状、寸法等を本発明の趣旨を逸脱しない範囲で適宜変更できるものである。
【図面の簡単な説明】
【００５７】
【図１】図１はゴルフティーの斜視図である。
【図２】図２は芝の上に載置された台座の平面図である。
【図３】図３は台座にボール受部を組み付ける状態を示す側面図である。
【図４】図４はボール受部を低くした状態のゴルフティーの斜視図である。
【図５】図５は台座を芝生上に載置した状態の側面図である。
【図６】図６はゴルフティーの第２実施形態を示すゴルフティーの斜視図である。
【図７】図７はゴルフティーの第３実施形態を示すゴルフティーの斜視図である。
【図８】図８は背景技術を示すゴルフティーの斜視図である。
【符号の説明】
【００５８】
１  ゴルフティー
２  ボール受部
３  台座
４  水平部
５  垂下部
６  隅部
９  脚
１０  高さ調整部
【図１】
2010148577.tif 000003
【図２】
2010148577.tif 000004
【図３】
2010148577.tif 000005
【図４】
2010148577.tif 000006
【図５】
2010148577.tif 000007
【図６】
2010148577.tif 000008
【図７】
2010148577.tif 000009
【図８】
2010148577.tif 000010